(57)【特許請求の範囲】
【請求項１】
第１の構造部材に取り付けられる第１の固定具および第２の構造部材に取り付けられる第２の固定具と、
ラッチ本体（１０８、５１０）を貫いて延伸する複数のチャネル（１２０、１２２、７０４、７０６）を有するラッチ本体（１０８、５１０）と、
前記ラッチ本体（１０８、５１０）内に収容された複数のロック機構（１１０、１２６、１２７、５１２、５１４）であって、前記複数のロック機構のうちの第１のロック機構（１２６）は、前記第１の固定具を受容するとともに、前記複数のロック機構のうちの第２のロック機構（１２７）は、前記第２の固定具を受容する、複数のロック機構と
を備え、
前記第１のロック機構（１２６）が、
前記複数のチャネル（１２０、１２２、７０４、７０６）のうちの対応するチャネル（１２２、７０６）に対して配置される細長い開口部（１３２、８０２、８３０）を有するプレート（１２８、８２２）であって、前記細長い開口部および前記対応するチャネルは、前記第１の固定具を受容するよう構成される、プレートと、
前記プレート（１２８、８２２）を前記ラッチ本体（１０８、５１０）内のロック位置に保持するように構成されたばね機構（１３０、８０８、８１２、８２４、８２８）と
を備える、装置。
【請求項２】
前記ラッチ本体（１０８、５１０）が、
前記複数のロック機構（１１０、１２６、１２７、５１２、５１４）を保持するように構成された保持構造（１１６）と、
カバー（１１８）と
をさらに備える、請求項１に記載の装置。
【請求項３】
枢支機構（１３６、１３８）をさらに備え、
前記プレート（１２８、８０６、８２２）が、前記枢支機構（１３６、８１８）回りに回転するように構成され、かつ前記枢支機構（１３６、８１８）は、前記プレート（１２８、８０６、８２２）および前記ラッチ本体（１０８、５１０）の前記保持構造（１１６）の少なくとも一方に組み合わせられている、請求項２に記載の装置。
【請求項４】
前記ばね機構（１３０、１３４、８０８、８１２、８２４、８２８）が、複数のばね（１３４、８０８、８１２、８２４、８２８）を備え、前記枢支機構（１３６、８１８）回りの前記プレート（１２８、８０６、８２２）の回転が、前記複数のばね（１３４、８０８、８１２、８２４、８２８）の少なくとも１つのばねに荷重を加える、請求項３に記載の装置。
【請求項５】
前記プレート（１２８、８０６、８２２）の前記開口部が、前記ラッチ本体（１０８、５１０）を貫く対応するチャネル（１２２、７０４、７０６）に所定の公差の範囲内で位置合わせされるように、前記プレート（１２８、８０６、８２２）が前記枢支機構（１３６、８１８）回りに非ロック位置へと回転させられるように構成されている、請求項３に記載の装置。
【請求項６】
前記プレート（１２８、８０６、８２２）が前記非ロック位置にあり、かつ該プレート（１２８、８０６、８２２）の前記開口部（１３２、８００、８０２、８１４、８３０）が前記対応するチャネル（１２２、７０４、７０６）に前記所定の公差の範囲内で位置合わせされる場合に、固定具（１２１、３１２、３１４）は、前記ラッチ本体（１０８、５１０）を貫く前記対応するチャネル（１２２、７０４、７０６）内で自由に動くことができるように構成されている、請求項５に記載の装置。
【請求項７】
前記プレート（１２８、８０６、８２２）が前記ロック位置にある場合に、前記プレート（１２８、８０６、８２２）の前記開口部（１３２、８００、８０２、８１４、８３０）を少なくとも部分的に貫通した固定具（１２１、３１２、３１４）は、所定の位置にロックされ、かつ前記ロック機構（１１０、１２６、１２７、５１２、５１４）は、構造部材（１２３、３００、３０２）に取り付けられた固定具（１２１、３１２、３１４）を受け入れるように構成され、該構造部材は、航空機の内部のための側壁（２００）の形成に使用されるパネル（１０２、２０２、２０４）に取り付けられている、請求項１から６のいずれか一項に記載の装置。
【請求項８】
前記ロック機構（１１０、１２６、１２７、５１２、５１４）が、第１の機構（１２６）であり、かつ該ロック機構が、前記ラッチ本体（１０８、５１０）および該ラッチ本体（１０８、５１０）内に収容された前記複数のロック機構（１１０、１２６、１２７、５１２、５１４）を前記ラッチ本体（１０８、５１０）を収容するように構成されたハウジング（１０６）とは無関係に前記ラッチ本体の長手方向の軸に沿った方向に移動するように構成された調節機構（１４０、５１６）をさらに備える、請求項１から７のいずれか一項に記載の装置。
【請求項９】
前記プレート（１２８、８０６、８２２）の前記開口部（１３２、８００、８０２、８１４、８３０）および前記対応するチャネル（１２２、７０４、７０６）が、前記軸に関して細長い、請求項８に記載の装置。
【請求項１０】
前記ラッチ本体（１０８、５１０）を収容するように構成されたハウジング（１０６）をさらに備える請求項１から９のいずれか一項に記載の装置。
【請求項１１】
ラッチ（１００）をいくつかのパネルに取り付けるための方法であって、
第１の構造部材に取り付けられた第１の固定具（１２１、３１４）が第１のプレート（１２８、８２２）の細長い開口部（１３２、８０２、８３０）を貫通するとともに、第２の構造部材に取り付けられた第２の固定具（３１２）が第２のプレート（８０６）の開口部（８００、８１４）を貫通することができるように、前記ラッチ（１００）内の前記第１および第２のプレート（１２８、８０６、８２２）を非ロック位置に動かすように前記ラッチ（１００）内のばね機構（１３０、８０８、８１２、８２４、８２８）に荷重を加えるステップであって、前記ばね機構（１３０、８０８、８１２、８２４、８２８）および前記第１および第２のプレート（１２８、８０６、８２２）がラッチ本体（１０８、５１０）内に収容されるロック機構（１１０、１２６、１２７、５１２、５１４）を形成している、ステップと、
前記第１および第２のプレート（１２８、８０６、８２２）をロック位置に動かすように、前記第１の固定具（１２１、３１４）の所定の部分が前記第１のプレート（１２８、８２２）の前記細長い開口部（１３２、８０２、８３０）を貫通した後に、前記ばね機構（１３０、８０８、８１２、８２４、８２８）に加えられた荷重を取り除くステップと
を備える方法。
【請求項１２】
前記ばね機構（１３０、８０８、８１２、８２４、８２８）に荷重を加える前記ステップが、
前記第１のプレート（１２８、８２２）の前記細長い開口部（１３２、８０２、８３０）に対応する前記ラッチ本体（１０８）のチャネル（１２２、７０６）を通り前記第１の固定具（１２１、３１４）を挿入するステップであって、前記第１の固定具（１２１、３１４）は、パネル（１０２）に組み合わせられる、ステップと、
前記第１のプレート（１２８、８２２）の前記細長い開口部（１３２、８０２、８３０）において前記第１の固定具（１２１、３１４）に力を加えるステップであって、それにより前記ラッチ（１００）の前記ばね機構（１３０、８０８、８１２、８２４、８２８）に荷重を加えられる力を生じさせ、前記ラッチ（１００）の前記第１のプレート（１２８、８２２）を前記非ロック位置に動かす、ステップと
を含む、請求項１１に記載の方法。
【請求項１３】
前記ばね機構（１３０）に加えられた荷重を取り除く前記ステップが、
前記第１の固定具（１２１、３１４）の所定の部分が前記第１のプレート（１２８、８２２）の前記細長い開口部（１３２、８０２、８３０）を貫通した後に、前記ばね機構（１３０、８０８、８１２、８２４、８２８）に加えられた荷重を取り除くステップであって、これにより前記第１のプレート（１２８、８２２）が前記ロック位置に動き、かつ前記第１の固定具（１２１、３１４）を前記ラッチ本体（５１０）の長手方向の軸（７１４）に関して所定の位置にロックし、前記第１の固定具（１２１、３１４）が所定の位置にロックされることで、前記第１の固定具（１２１、３１４）が組み合わせられたパネルに前記ラッチ（１００）が取り付けられる、ステップを備える、請求項１１または１２に記載の方法。
【請求項１４】
前記ラッチ（１００）の調節機構（１４０、５１６）を使用して、前記ラッチ本体（５１０）の長手方向の軸（７１４）に沿った方向に前記ラッチ本体（１０８、５１０）を移動させるステップをさらに備える、請求項１１から１３のいずれか一項に記載の方法。
【請求項１５】
前記ラッチ本体（１０８）を移動させる前記ステップが、
前記ラッチ（１００）の前記調節機構（１４０、５１６）を使用して、前記軸（７１４）に沿った方向に前記ラッチ本体（１０８、５１０）を移動させるステップであって、前記第１のプレート（１２８、８２２）の前記細長い開口部（１３２、８０２、８３０）および前記ラッチ本体（１０８、５１０）を貫く対応するチャネル（１２２、７０６）が軸に関して細長く、前記第１の固定具（１２１、３１４）が前記ラッチ本体（１０８、５１０）の移動とは無関係に、前記対応するチャネル（１２２、７０６）内で自由に移動できる、ステップを備える、請求項１４に記載の方法。
【発明の詳細な説明】
【技術分野】
【０００１】
本開示は、概して、ラッチに関し、特に、いかなる追加のツールも使用することなくパネルを接続するためのラッチに関する。さらに、本開示は、２枚のパネルを接続し、２枚のパネルの間に形成されたすき間の幅を調節することができるラッチに関する。
【背景技術】
【０００２】
典型的には、航空機の内部の側壁は、機械的な固定具を使用して互いに接続されるパネルを設置することによって形成される。これらのパネルを例えば「壁パネル」または「側壁パネル」と称することができる。パネルを接続するために現時点において利用することができるいくつかの技術においては、複数のスロットを有するブラケットが、２枚のパネルを互いに接続するために使用される。これらのスロットの各々は、例えば長円形など、細長い形状を有する。ナット板が、これらのスロットの各々に位置し、ブラケットの対応するスロットにおいて自由に移動することができる。各々のナット板が、ねじのねじ端を受け入れるように構成されている。
【０００３】
これらのねじは、パネルをブラケットに固定するために使用される。特に、各々のパネルが、例えば、これに限られるわけではないが、ねじのねじ端を受け入れるように構成されたループなどの取り付け用の機構を有することができる。ブラケットおよびブラケットのスロット内に位置するナット板が、パネルに対して配置される場合、ねじがループを通過してナット板へと駆動され、パネルをブラケットに固定する。このやり方で、２枚のパネルがブラケットによって互いに接続される。
【０００４】
しかしながら、これらの形式のブラケット、ナット板、およびねじを用いたパネルの接続は、望まれるよりも多くの時間および／または労苦を要する可能性がある。さらに、ねじをナット板へと駆動するためにツールが必要となりうる。例えば、ねじ回し、電動ドライバ（ｓｃｒｅｗ  ｇｕｎ）、および／または他の種類のツールが、必要となりうる。
【０００５】
さらに、これらの形式の現時点において利用可能な技術によれば、パネルが、所定の公差を外れて接続される可能性がある。特に、パネルを互いに接続した後でパネルの間に形成されるすき間の幅が、望まれるよりも大きくなる可能性がある。結果として、所定の公差の範囲内のパネルの設置を実現するために、これらのパネルの設置を何度もやり直さなければならないかもしれない。このやり直しが、望まれるよりも多くの時間および／または労苦を要する可能性がある。さらに、やり直しが、望まれるよりも高価となりうる。したがって、上述の問題のうちの少なくとも一部ならびに生じうる他の問題を考慮する方法および装置を有することが、望ましいと考えられる。
【発明の概要】
【課題を解決するための手段】
【０００６】
一例示の実施形態においては、装置が、ラッチ本体および複数のロック機構を備える。ラッチ本体は、該ラッチ本体を貫いて延伸する複数のチャネルを有する。複数のロック機構は、ラッチ本体内に収容される。複数のロック機構のうちのロック機構が、プレートおよびばね機構を備える。プレートは、複数のチャネルのうちの対応するチャネルに対して配置される開口部を有する。ばね機構が、プレートをラッチ本体内でロック位置に保持するように構成される。
【０００７】
別の例示の実施形態においては、ラッチが、ハウジングと、ラッチ本体と、複数のロック機構と、調節機構とを備える。ラッチ本体は、ハウジングに収容され、該ラッチ本体を貫いて延伸する複数のチャネルを有する。複数のロック機構は、ラッチ本体に収容される。複数のロック機構のうちのロック機構が、プレートおよびばね機構を備える。プレートは、複数のチャネルのうちの対応するチャネルに対して配置される開口部を有する。ばね機構が、プレートをラッチ本体内でロック位置に保持するように構成された複数の圧縮ばねを備える。調節機構は、ラッチ本体および該ラッチ本体に収容された複数のロック機構をハウジングとは無関係に、軸に沿った方向に移動させるように構成される。
【０００８】
さらに別の例示の実施形態においては、ラッチをいくつかのパネルに取り付けるための方法が提供される。ラッチ内のプレートを非ロック位置に移動させるために、ラッチ内のばね機構に荷重が加えられる。非ロック位置は、固定具をプレートの開口部に通すことができるように構成される。ばね機構およびプレートは、ラッチ本体内に収容されたロック機構を形成している。固定具の所定の部分がプレートの開口部を通過した後で、ばね機構への荷重が取り除かれることで、プレートがロック位置に移動する。
【０００９】
本発明の一態様によれば、ラッチ本体と、ラッチ本体内に収容された複数のロック機構とを備え、ラッチ本体が、該ラッチ本体を貫いて延伸する複数のチャネルを有し、複数のロック機構のうちのロック機構が、複数のチャネルのうちの対応するチャネルに対して配置される開口部を有するプレートと、プレートをラッチ本体内のロック位置に保持するように構成されたばね機構とを備える装置が提供される。
【００１０】
好都合には、ラッチ本体が、複数のロック機構を保持するように構成された保持構造と、カバーとをさらに備える。好ましくは、ロック機構が、枢支機構をさらに備え、プレートが、枢支機構を中心にして回転するように構成される。好ましくは、ばね機構が、複数のばねを備え、枢支機構回りのプレートの回転が、複数のばねのうちの少なくとも１つのばねに荷重を加える。好ましくは、プレートが、該プレートの開口部がラッチ本体を貫く対応するチャネルに所定の公差の範囲内で位置合わせされるように、枢支機構回りに非ロック位置へと回転させられるように構成される。好ましくは、固定具が、プレートが非ロック位置にあり、該プレートの開口部が対応するチャネルに所定の公差の範囲内で位置合わせされる場合に、ラッチ本体を貫く対応するチャネルにおいて自由に動くことができるように構成される。好ましくは、枢支機構は、プレートおよびラッチ本体の保持構造の少なくとも一方に組み合わせられる。
【００１１】
好都合には、プレートがロック位置にある場合に、プレートの開口部を少なくとも部分的に貫通した固定具は、所定の位置にロックされる。
【００１２】
好都合には、ロック機構は、構造部材に取り付けられた固定具を受け入れるように構成される。好ましくは、構造部材は、航空機の内部のための側壁の形成に使用されるパネルに取り付けられる。
【００１３】
好都合には、ロック機構が、第１の機構であり、ラッチ本体および該ラッチ本体内に収容された複数のロック機構を該ラッチ本体の軸に沿った方向に移動させるように構成された調節機構を備える。好ましくは、プレートの開口部および対応するチャネルは、軸に関して細長い。
【００１４】
好都合には、ハウジングが、ラッチ本体を収容するように構成される。
【００１５】
好都合には、開口部は、円形、細長い形状、長円形、正方形、および矩形のうちの１つから選択される形状を有し、対応するチャネルは、円形の筒形、細長い筒形、楕円形の筒形、双曲線の筒形、放物線の筒形、および角柱形状のうちの１つから選択される形状を有する。
【００１６】
本開示のさらなる態様によれば、ハウジングと、ハウジング内に収容されたラッチ本体と、ラッチ本体内に収容された複数のロック機構とを備え、ラッチ本体が、該ラッチ本体を貫いて延伸する複数のチャネルを有し、複数のロック機構のうちのロック機構が、複数のチャネルのうちの対応するチャネルに対して配置される開口部を有するプレートと、プレートをラッチ本体内のロック位置に保持するように構成された複数の圧縮ばねを備えるばね機構と、ラッチ本体および該ラッチ本体内に収容された複数のロック機構をハウジングとは無関係に該ラッチ本体の軸に沿った方向に移動させるように構成された調節機構とを備えるラッチが提供される。
【００１７】
本開示のまたさらなる態様によれば、ラッチをいくつかのパネルに取り付けるための方法であって、固定具をプレートの開口部に通すことができるように、プレートを非ロック位置に動かすためにばね機構に荷重を加えるステップであって、ばね機構およびプレートが、ラッチ本体内に収容されたロック機構を形成する、ステップと、プレートをロック位置に動かすように、固定具の所定の部分がプレートの開口部を貫通した後で、ばね機構に加えられた荷重を取り除くステップとを含む方法が提供される。
【００１８】
好都合には、ばね機構に荷重を加えるステップは、プレートの開口部に対応するラッチ本体のチャネルを通って固定具を挿入するステップであって、該固定具がパネルに組み合わせられたステップと、プレートの開口部において固定具に力を加えるステップであって、ラッチのばね機構に加えられる荷重を生じ、ラッチのプレートを非ロック位置に動かす、ステップとを含む。
【００１９】
好ましくは、ばね機構に加えられた荷重を取り除くステップが、固定具の所定の部分がプレートの開口部を貫通した後に、ばね機構に加えられた荷重を取り除くステップであって、これによりプレートがロック位置に動き、固定具をラッチ本体の軸に関して所定の位置にロックし、固定具が所定の位置にロックされることで、固定具が組み合わせられたパネルにラッチが取り付けられる、ステップを備える。
【００２０】
好都合には、ラッチの調節機構を使用して、ラッチ本体の軸に沿った方向にラッチ本体が移動させられる。好ましくは、ラッチ本体を移動させるステップが、ラッチの調節機構を使用して、軸に沿った方向にラッチ本体を移動させるステップであって、プレートの開口部およびラッチ本体を貫く対応するチャネルが、軸に関して細長く、固定具がラッチ本体の移動とは無関係に、対応するチャネルにおいて自由に移動できる、ステップを備える。
【００２１】
これらの特徴および機能を、本開示の種々の実施形態において別個独立に達成でき、あるいは以下の説明および図面を参照してさらなる詳細を見て取ることができるさらに他の実施形態において、組み合わせてもよい。
【００２２】
例示の実施形態に特有であると考えられる新規な特徴が、添付の特許請求の範囲に記載される。しかしながら、例示の実施形態、その好ましい使用の態様、ならびにさらなる目的および特徴は、本開示の例示の実施形態についての以下の詳細な説明を参照し、添付の図面と併せて検討することによって、最もよく理解されるであろう。
【図面の簡単な説明】
【００２３】
【図１】例示の実施形態によるラッチのブロック図の形態での図である。
【図２】例示の実施形態による航空機の内部のための側壁の一部分の図である。
【図３】例示の実施形態によるラッチを備える航空機の内部のための側壁の一部分の拡大図である。
【図４】例示の実施形態による２つの構造部材に取り付けられたラッチの別の図である。
【図５】例示の実施形態によるラッチの別の図である。
【図６】例示の実施形態によるラッチの別の図である。
【図７】例示の実施形態によるラッチ本体の図である。
【図８】例示の実施形態による保持構造内に保持された第１のロック機構および第２のロック機構の図である。
【図９】例示の実施形態による非ロック位置の２枚のプレートの図である。
【図１０】例示の実施形態による調節後のラッチ本体の図である。
【図１１】例示の実施形態による調節後のラッチ本体の図である。
【図１２】例示の実施形態による構造部材および固定具の等角投影図である。
【図１３】例示の実施形態による構造部材に取り付けられたラッチの断面図である。
【図１４】例示の実施形態による構造部材に取り付けられたラッチの別の断面図である。
【図１５】ラッチをパネルに取り付けるための例示の実施形態によるプロセスのフロー図の形態の図である。
【図１６】例示の実施形態による航空機の製造および保守点検方法のブロック図の形態の図である。
【図１７】例示の実施形態による航空機のブロック図の形態の図である。
【発明を実施するための形態】
【００２４】
例示の実施形態は、種々の考慮事項を認識し、考慮に入れる。例えば、例示の実施形態は、いかなる追加のツールも必要とすることなく壁パネルを互いに接続することができるラッチが、これらの壁パネルの接続および設置に要する時間および／または労苦を軽減できることを認識し、考慮に入れる。さらに、例示の実施形態は、接続された壁パネルの間に形成されたすき間の幅を、壁パネルの１回以上の切り離しおよび再接続を必要とすることなく調節することができるラッチを有することが、望ましい場合があることを認識し、考慮に入れる。
【００２５】
したがって、例示の実施形態は、調節機構が組み込まれたラッチを使用してパネルを接続するための方法および装置を提供する。さらに、例示の実施形態は、ラッチに受け入れられた固定具をいかなる追加のツールも必要とせずに所定の位置に固定することができるラッチを提供する。
【００２６】
次に、図１を参照すると、例示の実施形態によるラッチの図が、ブロック図の形態で示されている。図１において、第１のパネル１０２と第２のパネル１０４とを接続するためにラッチ１００を使用することができる。第１のパネル１０２および第２のパネル１０４は、例えば、これに限られるわけではないが、航空機の内部の側壁パネルであってよい。
【００２７】
これらの例示の例では、ラッチ１００が、ハウジング１０６と、ラッチ本体１０８と、複数のロック機構１１０とを備える。図示のとおり、ハウジング１０６は、ラッチ本体１０８および複数のロック機構１１０を収容するように構成される。一例示の例では、ハウジング１０６が、保持部１１２およびカバー部１１４を備える。この例では、保持部１１２がラッチ本体１０８を保持するように構成される一方で、カバー部１１４がラッチ本体１０８を覆うように構成される。特に、保持部１１２がハウジング１０６の第１の面を形成し、カバー部１１４がハウジング１０６の第２の面を形成する。実施例に応じて、保持部１１２およびカバー部１１４は、同じ構造の２つの部位であってよく、あるいは２つの異なる部品であってよい。
【００２８】
ハウジング１０６において、ラッチ本体１０８は、複数のロック機構１１０を収容している。一例示の例では、ラッチ本体１０８が、保持構造１１６およびカバー１１８を備える。保持構造１１６が、複数のロック機構１１０を保持するように構成される一方で、カバー１１８が、複数のロック機構１１０を覆うように構成される。実施例に応じて、保持構造１１６およびカバー１１８は、同じ構造の２つの部位または２つの異なる部品であってよい。
【００２９】
保持構造１１６が、ラッチ本体１０８の第１の面を形成し、カバー１１８が、ラッチ本体１０８の第２の面を形成する。ラッチ本体１０８は、ラッチ本体１０８の第１の面からラッチ本体１０８の第２の面に延伸する複数のチャネル１２０を有する。特に、複数のチャネル１２０の各々のチャネルが、保持構造１１６の開口部とカバー１１８の対応する開口部との間のラッチ本体１０８の内側に位置する空間の体積によって形成される。
【００３０】
このやり方で、複数のチャネル１２０の各々のチャネルは、両端において開いている。これらの開口部のサイズは、複数のチャネル１２０の各々のチャネルが固定具を受け入れ、固定具の通過を許すことができるように選択される。固定具は、例えばねじであってよい。
【００３１】
チャネル１２２が、複数のチャネル１２０のうちの１つの例である。例えば固定具１２１などの固定具を受け入れるようにチャネル１２２を構成することができる。固定具１２１を第１のパネル１０２に組み合わせることができる。
【００３２】
或る構成部品が別の構成部品に「組み合わせられ」る場合、組み合わせは、図示の例における物理的な組み合わせである。例えば、第１の構成部品（固定具１２１など）は、第２の構成部品（第１のパネル１０２）に固定され、第２の構成部品に接着され、第２の構成部品に取り付けられ、第２の構成部品に溶接され、第２の構成部品に締め付けられ、さらには／あるいは第２の構成部品に何らかの他の適切なやり方で接続されることによって、第２の構成部品に組み合わせられると考えることができる。第３の構成部品を使用して第１の構成部品を第２の構成部品に接続することも可能である。第１の構成部品が第２の構成部品の一部および／または延長部として形成されることによって、第２の構成部品に組み合わせられると考えることもできる。
【００３３】
一例示の例では、固定具１２１が、構造部材１２３を介して第１のパネル１０２に組み合わせられる。特に、固定具１２１が構造部材１２３に取り付けられ、構造部材１２３が第１のパネル１０２に取り付けられる。固定具１２１は、例えばねじであってよい。
【００３４】
図示のとおり、複数のロック機構１１０は、複数のプレート１２４および複数のばね機構１２５によって形成される。より具体的には、複数のロック機構１１０のうちの各々のロック機構が、複数のプレート１２４のうちのプレートおよび複数のばね機構１２５のうちの対応するばね機構１３０によって形成される。
【００３５】
第１のロック機構１２６および第２のロック機構１２７は、複数のロック機構１１０のうちのロック機構の例である。第１のロック機構１２６が、第１のパネル１０２に接続されるように構成される一方で、第２のロック機構１２７が、第２のパネル１０４に接続されるように構成される。
【００３６】
図示のとおり、第１のロック機構１２６は、複数のプレート１２４からのプレート１２８および複数のばね機構１２５からのばね機構１３０によって形成される。この例示の例では、プレート１２８が、開口部１３２を有する。プレート１２８の開口部１３２が所定の公差の範囲内でチャネル１２２に位置合わせされる場合、固定具１２１をチャネル１２２に挿入し、チャネル１２２を通って移動させることができる。しかしながら、プレート１２８の開口部１３２が所定の公差の範囲内においてチャネル１２２に位置合わせされていない場合、チャネル１２２内に位置する固定具１２１を、固定された位置またはロック位置に保持することができる。換言すると、プレート１２８の開口部１３２が所定の公差の範囲内においてチャネル１２２に位置合わせされていない場合、固定具１２１をチャネル１２２を通って移動させることが不可能であってよい。
【００３７】
ばね機構１３０は、開口部１３２が所定の公差の範囲内においてチャネル１２２に位置合わせされていない位置にプレート１２８を保持するように構成される。一例示の例では、ばね機構１３０が、複数のばね１３４を備える。複数のばね１３４は、この例では、圧縮ばねであってよい。本明細書において使用される場合、「圧縮ばね」は、荷重がばねに加えられる場合に圧縮され、あるいは長さが短くなるように構成されたばねである。
【００３８】
複数のばね１３４のいずれにも荷重が加えられていない場合にプレート１２８が固定の位置に保持されるようなやり方で、プレート１２８およびラッチ本体１０８に対して複数のばね１３４を配置することができる。この固定の位置は、ロック位置と称される。プレート１２８がロック位置にある場合、プレート１２８の開口部１３２は、所定の公差の範囲内においてチャネル１２２に位置合わせされていない。
【００３９】
しかしながら、外部からの荷重をプレート１２８に加え、枢支機構１３６を中心にしてプレート１２８を回転させることができる。この回転により、複数のばね１３４のうちの少なくとも１つに荷重が加えられ、複数のばね１３４のうちの少なくとも１つが圧縮される。このやり方で、ラッチ本体１０８におけるプレート１２８の位置を変化させ、チャネル１２２に対する開口部１３２の位置合わせを変化させることができる。
【００４０】
一例示の例では、固定具１２１がラッチ本体１０８のチャネル１２２に挿入される場合に、外部からの荷重がプレート１２８に加えられてよい。例えば、固定具１２１の少なくとも一部分がプレート１２８の開口部１３２に受け入れられるように、固定具１２１をチャネル１２２に挿入することができる。
【００４１】
固定具１２１がチャネル１２２へ挿入される方向に開口部１３２を通り、ラッチ本体１０８の軸に沿って固定具１２１に力を加えることができる。換言すると、開口部１３２を通って固定具１２１を押すことができる。開口部１３２を通過する軸は、プレート１２８に実質的に垂直であってよい。固定具１２１に加えられる力によって、プレート１２８に荷重が加えられ、結果としてプレート１２８が複数のばね１３４のうちの少なくとも１つに荷重を加え、複数のばね１３４のうちの少なくとも１つを圧縮する。このやり方で、固定具１２１を開口部１３２を通って押すことで、プレート１２８の位置が変化する。
【００４２】
プレート１２８が非ロック位置に移動するまで開口部１３２を通って固定具１２１を押すことができる。プレート１２８が非ロック位置にある場合、プレート１２８の開口部１３２が、所定の公差の範囲内においてチャネル１２２に実質的に位置合わせされる。プレート１２８が非ロック位置にある状態で、固定具１２１の所定の部分を開口部１３２を通って移動させることができる。
【００４３】
ひとたび固定具１２１の所定の部分が開口部１３２を通過すると、固定具１２１に加えられている力を取り除くことができる。固定具１２１への力を取り除くことで、結果として、複数のばね１３４のうちの少なくとも１つに加えられる荷重が取り除かれる。特に、固定具１２１がもはや押されておらず、プレート１２８に加えられる荷重が取り除かれ、結果として複数のばね１３４のうちの少なくとも１つに加えられる荷重が取り除かれる。
【００４４】
これらの荷重が取り除かれると、プレート１２８が再びロック位置に移動する。特に、プレート１２８が開口部１３２を通過する軸に対して固定具１２１を所定の位置にロックするように、プレートが移動する。固定具１２１は、開口部１３２とチャネル１２２とが位置合わせされないことによって所定の位置にロックされる。ひとたび固定具１２１が所定の位置にロックされると、複数のばね１３４のうちの少なくとも１つに荷重を加えることなく開口部１３２を通って固定具１２１を引き出すことは不可能であってよい。
【００４５】
枢支機構１３６をプレート１２８および／または保持構造１１６に組み合わせることができる。例えば、枢支機構１３６は、保持構造１１６の内面に位置する突起の形態の保持構造１１６の一部であってよい。別の例では、枢支機構１３６は、保持構造１１６の内面に取り付けられたリベットであってよい。さらに別の例では、枢支機構１３６は、プレート１２８の一部と考えられる構造機構であってよい。また別の例では、枢支機構１３６は、プレート１２８および保持構造１１６に接続された部品であってよい。
【００４６】
固定具１２１が第１のロック機構１２６によってチャネル１２２内の固定の位置にロックされている場合、ラッチ本体１０８は、第１のパネル１０２に固定され、あるいは取り付けられていると考えられる。同様のやり方で第２のパネル１０４にラッチ本体１０８を固定し、あるいは取り付けるために、第２のロック機構１２７を使用することができる。このやり方で、第１のロック機構１２６および第２のロック機構１２７が、第１のパネル１０２を第２のパネル１０４に接続するために使用される。
【００４７】
これらの例示の例において、ラッチ１００は、第１のパネル１０２と第２のパネル１０４との間に形成されるすき間１４２の幅を調節するように構成された調節機構１４０を備える。調節機構１４０を「組み込まれた」調節機構と考えることができる。
【００４８】
調節機構１４０は、或る軸に沿ってハウジング１０６に対してラッチ本体１０８を移動させるように構成される。いくつかの場合には、ラッチ本体１０８の移動によって、固定具１２１、したがって第１のパネル１０２が、ラッチ本体１０８と一緒に移動する。しかしながら、他の場合には、ラッチ本体１０８が、固定具１２１または第１のパネル１０２を移動させることなく移動することができる。
【００４９】
一例示の例では、開口部１３２ならびにチャネル１２２を形成する保持構造１１６およびカバー１１８の開口部が、固定具１２１のサイズおよび／または形状にそれぞれもとづくサイズおよび／または形状を有することができる。いくつかの例示の例では、固定具１２１がチャネル１２２に挿入される場合に固定具１２１との締まりばめを形成するように、開口部１３２ならびにチャネル１２２を形成する保持構造１１６およびカバー１１８の開口部を構成することができる。この例では、ラッチ本体１０８の移動により、固定具１２１、したがって第１のパネル１０２が、ラッチ本体１０８と一緒に移動する。
【００５０】
しかしながら、他の例示の例では、ラッチ本体１０８の移動の軸に対して開口部１３２およびチャネル１２２を引き延ばすことができる。換言すると、開口部１３２ならびにチャネル１２２を形成する保持構造１１６およびカバー１１８の開口部が、スロット状であってよい。
【００５１】
これらの例では、開口部１３２ならびにチャネル１２２を形成する保持構造１１６およびカバー１１８の開口部の形状が、調節機構１４０がチャネル１２２および開口部１３２に位置する固定具１２１を移動させることなくラッチ本体１０８を移動させることを可能にする。開口部１３２の形状は、例えば円形、引き延ばされた円形、長円形、正方形、矩形、および／または他の形状であってよい。軸に沿ったラッチ本体１０８の移動可能距離は、ハウジング１０６の保持部１１２の長さによって制限され、さらには／もしくは開口部１３２の長さならびにチャネル１２２を形成する保持構造１１６およびカバー１１８の開口部の長さによって制限される。
【００５２】
いくつかの場合には、固定具１２１または第１のパネル１０２を移動させることなくラッチ本体１０８およびラッチ本体１０８に固定された第２のパネル１０４を移動させるために、調節機構１４０を使用することができる。このやり方で、調節機構１４０を使用して第１のパネル１０２と第２のパネル１０４との間のすき間１４２の幅を調節することができる。
【００５３】
図１におけるラッチ１００の図は、例示の実施形態を実現することができるやり方に対する物理的または構造的な限定を意味するものではない。例示の構成要素に加え、あるいは例示の構成要素に代えて、他の構成要素を使用することが可能である。一部の構成要素は、不要かもしれない。また、ブロックが、いくつかの機能要素を示すために提示されている。例示の実施形態を実施する場合に、これらのブロックのうちの１つ以上を組み合わせることができ、分割することができ、あるいは組み合わせて異なるブロックに分割することができる。
【００５４】
例えば、いくつかの場合においては、複数のチャネル１２０のうちのチャネル１２２の一端だけが開いていてもよい。例えば、いくつかの場合においては、チャネル１２２が、ラッチ本体１０８においてカバー１１８の開口部から保持構造１１６の内面まで延伸してよい。別の例として、チャネル１２２は、ラッチ本体１０８において保持構造１１６の開口部からカバー１１８の内面まで延伸してよい。
【００５５】
他の例示の例では、複数のロック機構１１０に３つ以上のロック機構が存在できる。例えば、ラッチ本体１０８を第１のパネル１０２に取り付けるために、複数のロック機構１１０のうちの２つのロック機構を使用することができる。
【００５６】
次に図２に目を向けると、例示の実施形態による航空機の内部の側壁の一部分の図が示されている。図２に示されるとおり、航空機の内部の側壁２００の一部分が示されている。側壁２００のこの部分は、第１のパネル２０２および第２のパネル２０４によって形成されている。第１のパネル２０２および第２のパネル２０４は、図１の第１のパネル１０２および第２のパネル１０４のそれぞれの実施の例である。
【００５７】
図示のとおり、第１のパネル２０２および第２のパネル２０４は、ラッチ２０６およびラッチ２０８を使用して接続される。ラッチ２０６およびラッチ２０８は、図１のラッチ１００の実現のやり方と同様のやり方で実現される。ラッチ２０６は、図３から図１４においてさらに詳しく後述される。特に、側壁２００の部位２１０が、図３に拡大図にて示されている。
【００５８】
次に図３を参照すると、例示の実施形態による図２からのラッチ２０６を有する側壁２００の部位２１０の拡大図が示されている。この例示の例では、ラッチ２０６が、構造部材３００を使用して第１のパネル２０２に取り付けられ、構造部材３０２を使用して第２のパネル２０４に取り付けられる。構造部材３００および構造部材３０２は、この例示の例ではプレートの形態をとる。
【００５９】
固定具３０４および固定具３０６が、構造部材３００を第１のパネル２０２に取り付けるために使用されている。固定具３０８および固定具３１０が、構造部材３０２を第２のパネル２０４に取り付けるために使用されている。さらに、ラッチ２０６は、固定具３１２を使用して構造部材３００に取り付けられている。ラッチ２０６は、固定具３１４を使用して構造部材３０２に取り付けられている。
【００６０】
次に図４に目を向けると、例示の実施形態による図３からの構造部材３００および構造部材３０２に取り付けられたラッチ２０６の別の図が示されている。図４には、図３からの構造部材３００および構造部材３０２に取り付けられたラッチ２０６の反対側の図が示されている。第１のパネル２０２および第２のパネル２０４は、この図には示されていない。
【００６１】
次に図５を参照すると、例示の実施形態による図４からのラッチ２０６の図が示されている。この例示の例では、ラッチ２０６が、ラッチ２０６に取り付けられた図４における構造部材３００および構造部材３０２を除いて示されている。
【００６２】
図示のとおり、ラッチ２０６は、ハウジング５００を備える。ハウジング５００は、図１のラッチ１００のハウジング１０６の１つの実現の例である。この例示の例では、ハウジング５００が、保持部５０２およびカバー部５０４を備える。カバー部５０４は、開口部５０６および開口部５０８を有する。この例示の例では、開口部５０６が円形を有する一方で、開口部５０８が細長い形状を有する。開口部５０８をスロット状開口部と称することができる。
【００６３】
開口部５０６が、図３からの固定具３１４を受け入れるように構成される一方で、開口部５０８が、図３からの固定具３１２を受け入れるように構成される。保持部５０２も、２つの開口部（この図には示されていない）を有する。
【００６４】
ハウジング５００は、ラッチ本体５１０、第１のロック機構５１２、および第２のロック機構５１４を収容する。特に、ハウジング５００の保持部５０２が、ラッチ本体５１０、第１のロック機構５１２、および第２のロック機構５１４を保持する。ハウジング５００のカバー部５０４が、ラッチ本体５１０、第１のロック機構５１２、および第２のロック機構５１４を覆う。
【００６５】
ラッチ本体５１０は、図１のラッチ本体１０８の１つの実現の例である。第１のロック機構５１２および第２のロック機構５１４は、図１の第１のロック機構１２６および第２のロック機構１２７の実現の例である。ラッチ本体５１０、第１のロック機構５１２、および第２のロック機構５１４は、図７から図１１においてさらに詳しく後述される。
【００６６】
さらに、ラッチ２０６は、調節機構５１６を備える。調節機構５１６は、ラッチ本体５１０に組み合わせられ、ハウジング５００内でラッチ本体５１０を移動させるように構成されている。調節機構５１６は、図７から図１１においてさらに詳しく後述される。
【００６７】
次に図６を参照すると、例示の実施形態によるラッチ２０６の別の図が示されている。この例示の例では、ハウジング５００の保持部５０２をより明瞭に見て取ることができる。図示のとおり、保持部５０２は、開口部６００および開口部６０２を有する。
【００６８】
開口部６００および６０２は、細長い形状を有する。開口部６００および６０２をスロット状開口部と称することができる。開口部６００が、図３からの固定具３１２を受け入れるように構成される一方で、開口部６０２が、図３からの固定具３１４を受け入れるように構成される。
【００６９】
次に図７に目を向けると、例示の実施形態による図５からのラッチ本体５１０の図が示されている。この例示の例では、ハウジング５００内に収容されたラッチ本体５１０を見て取ることができるよう、図５からのハウジング５００が、この図においては図示されていない。ラッチ本体５１０が、第１のロック機構５１２および第２のロック機構５１４を収容している。
【００７０】
図示のとおり、ラッチ本体５１０は、保持構造７００およびカバー７０２を備える。ラッチ本体５１０の保持構造７００が、第１のロック機構５１２および第２のロック機構５１４を保持する。カバー７０２が、第１のロック機構５１２および第２のロック機構５１４を覆う。
【００７１】
さらに、ラッチ本体５１０は、チャネル７０４およびチャネル７０６を有する。チャネル７０４が、ラッチ本体５１０を貫いてカバー７０２の開口部７０８と保持構造７００の開口部（この図には示されていない）との間を延伸している。これらの開口部は、この例示の例では、細長い形状を有する。結果として、チャネル７０４は、引き延ばされた筒状の形状を有する。他の例示の例では、チャネル７０４が、円形の筒状、楕円形の筒状、双曲線の筒状、放物線の筒状、角柱の形状、および／または他の形状を有することができる。チャネル７０４は、図３からの固定具３１４を受け入れるように構成される。
【００７２】
さらに、チャネル７０６が、ラッチ本体５１０を貫いてカバー７０２の開口部７１０と保持構造７００の開口部（この図には示されていない）との間を延伸している。これらの開口部は、この例示の例では、細長い形状を有する。結果として、チャネル７０６は、引き延ばされた筒状の形状を有する。チャネル７０６は、図３からの固定具３１２を受け入れるように構成される。
【００７３】
この例示の例では、ラッチ本体５１０をラッチ本体５１０の軸７１４に沿った方向に移動させるために、矢印７１２の方向に調節機構５１６を回転させることができる。調節機構５１６は、ラッチ本体５１０を図５のハウジング５００に関係なく移動させるように構成される。さらに、調節機構５１６がラッチ本体５１０を移動させる場合、ラッチ本体５１０内に保持された第１のロック機構５１２および第２のロック機構５１４も移動する。
【００７４】
次に図８を参照すると、例示の実施形態による図７からの保持構造７００内に保持された第１のロック機構５１２および第２のロック機構５１４の図が示されている。この例示の例では、図７からのラッチ本体５１０のカバー７０２が、第１のロック機構５１２および第２のロック機構５１４を見て取ることができるように取り除かれている。図示のとおり、第１のロック機構５１２および第２のロック機構５１４は、保持構造７００の縁８０４の内側に位置している。
【００７５】
図７からのカバー７０２を取り除いた状態で、保持構造７００の開口部８００および開口部８０２を見て取ることができる。開口部８００が、円形の形状を有する一方で、開口部８０２は、細長い形状を有する。チャネル７０４が、保持構造７００の開口部８００を通って延伸している一方で、チャネル７０６が、保持構造７００の開口部８０２を通って延伸している。
【００７６】
図示のとおり、第１のロック機構５１２は、プレート８０６およびばね機構８０８を備える。ばね機構８０８は、圧縮ばね８１０および圧縮ばね８１２を備える。さらに、プレート８０６が、開口部８１４および開口部８１６を有する。開口部８１４および開口部８１６の両方が、この例示の例では円形の形状を有する。
【００７７】
圧縮ばね８１０および圧縮ばね８１２は、プレート８０６を保持構造７００に対してロック位置８１５に保つやり方で、プレート８０６と保持構造７００の縁８０４との間に配置されている。プレート８０６がロック位置８１５にある場合、第１のロック機構５１２はロックされていると考えられる。
【００７８】
ロック位置８１５において、プレート８０６の開口部８１４は、ラッチ本体５１０を貫くチャネル７０４に所定の公差の範囲において位置合わせされていない。したがって、チャネル７０４が、部分的に塞がれている。換言すると、開口部８１４が所定の公差の範囲においてチャネル７０４に位置合わせされていない場合、図３からの固定具３１４のすべての部分がチャネル７０４を完全に通過することはできないように、チャネル７０４のサイズが小さくされている。
【００７９】
開口部８１４をチャネル７０４に位置合わせすることができるようにプレート８０６を移動させるために、プレート８０６の開口部８１６を使用することができる。特に、プレート８０６を枢支機構８１８を中心にして回転させるために、プレート８０６の開口部８１６を使用することができる。この例示の例では、枢支機構８１８が、保持構造７００に取り付けられたリベットである。しかしながら、他の例示の例では、枢支機構８１８が、プレート８０６の回転の中心となりうる保持構造７００の一部としての構造的な機構であってよい。開口部８１４を所定の公差の範囲においてチャネル７０４に位置合わせさせるように、プレート８０６を矢印８２０の方向に枢支機構８１８を中心にして回転させることができる。
【００８０】
同様のやり方で、第２のロック機構５１４は、プレート８２２およびばね機構８２４を備える。ばね機構８２４は、圧縮ばね８２６および圧縮ばね８２８を備える。さらに、プレート８２２が、開口部８３０および開口部８３２を有する。この例示の例では、開口部８３０が細長い形状を有する一方で、開口部８３２が円形の形状を有する。開口部８３０をスロット状開口部と称することができる。
【００８１】
圧縮ばね８２６および圧縮ばね８２８は、プレート８２２を保持構造７００に対してロック位置８３１に保つやり方で、プレート８２２と保持構造７００の縁８０４との間に配置されている。プレート８２２がロック位置８３１にある場合、第２のロック機構５１４はロックされていると考えられる。
【００８２】
ロック位置８３１において、プレート８２２の開口部８３０は、ラッチ本体５１０を貫くチャネル７０６に所定の公差の範囲において位置合わせされていない。したがって、チャネル７０６が、部分的に塞がれている。換言すると、開口部８３０が所定の公差の範囲においてチャネル７０６に位置合わせされていない場合、図３からの固定具３１２のすべての部分がチャネル７０６を完全に通過することはできないように、チャネル７０６のサイズが小さくされている。
【００８３】
しかしながら、開口部８３０をチャネル７０６に位置合わせさせることができるようにプレート８２２を移動させるために、プレート８２２の開口部８３２を使用することができる。特に、プレート８２２を枢支機構８３４を中心にして回転させるために、プレート８２２の開口部８３２を使用することができる。この例示の例では、枢支機構８３４が、保持構造７００に取り付けられたリベットである。しかしながら、他の例示の例では、枢支機構８３４が、プレート８２２の回転の中心となりうる保持構造７００の一部としての構造的な機構であってよい。開口部８３０を所定の公差の範囲においてチャネル７０６に位置合わせさせるように、プレート８２２を矢印８３６の方向に枢支機構８３４を中心にして回転させることができる。
【００８４】
次に図９を参照すると、例示の実施形態による非ロック位置の図８からのプレート８０６およびプレート８２２の図が示されている。図９においては、プレート８０６およびプレート８２２が、プレート８０６およびプレート８２２へとプレート８０６の開口部８１６およびプレート８２２の開口部８３２を介して矢印９００の方向に力を加えることによって移動させられている。
【００８５】
プレート８０６へと矢印９００の方向に力が加えられる場合、プレート８０６は、枢支機構８１８を中心にして矢印９０２の方向に回転する。さらに、この力が、圧縮ばね８１０および圧縮ばね８１２に荷重を加え、これらの圧縮ばねの両方を縮め、あるいは長さにおいて短くする。プレート８０６の開口部８１４がラッチ本体５１０を貫くチャネル７０４に所定の公差の範囲内で位置合わせされるように、プレート８０６が枢支機構８１８を中心にして非ロック位置９０６へと回転させられている。換言すると、プレート８０６が非ロック位置９０６へと回転することで、第１のロック機構５１２のロックが解除される。
【００８６】
同様に、プレート８２２へと矢印９００の方向に力が加えられる場合、プレート８２２は、枢支機構８３４を中心にして矢印９０４の方向に回転する。さらに、この力が、圧縮ばね８２６および圧縮ばね８２８に荷重を加え、これらの圧縮ばねの両方を縮め、あるいは長さにおいて短くする。プレート８２２の開口部８３０がラッチ本体５１０を貫くチャネル７０６に所定の公差の範囲内で位置合わせされるように、プレート８２２が枢支機構８３４を中心にして非ロック位置９０８へと回転させられている。換言すると、プレート８２２が非ロック位置９０８へと回転することで、第２のロック機構５１４のロックが解除される。
【００８７】
プレート８０６の開口部８１６に加えられる力およびプレート８２２の開口部８３２に加えられる力（圧縮ばね８１０、圧縮ばね８１２、圧縮ばね８２６、および圧縮ばね８２８のそれぞれに荷重を加える）が取り除かれると、これらの圧縮ばねが長くなり、プレート８０６およびプレート８２２が、それぞれ図８からのロック位置８１５およびロック位置８３１に再び移動する。換言すると、圧縮ばね８１０および圧縮ばね８２６に荷重が加えられていない場合、第１のロック機構５１２および第２のロック機構５１４はロックされた状態を保つ。
【００８８】
次に図１０を参照すると、例示の実施形態による調節後のラッチ本体５１０の図が示されている。図１０においては、調節機構５１６が、矢印１０００の方向に回転させられている。図示のとおり、この回転は、ラッチ本体５１０内に保持された第１のロック機構５１２および第２のロック機構５１４と一緒に、ラッチ本体５１０を矢印１００２の方向に移動させる。
【００８９】
チャネル７０６の細長いｒ形状およびプレート８２２の開口部８３０が、図３からの固定具３１２などの固定具が開口部８３０の長さの範囲内で図７の軸７１４に沿った方向にラッチ本体５１０とは無関係に移動することを可能にする。換言すると、チャネル７０６における固定具の最初の位置に応じて、ラッチ本体５１０の矢印１００２の方向の移動が、チャネル７０６内に位置する固定後の移動を生じさせ、あるいは生じさせない。
【００９０】
次に図１１を参照すると、例示の実施形態による調節後のラッチ本体５１０の図が示されている。図１１においては、調節機構５１６が、図７の軸７１４に沿って矢印１１００の方向に回転させられている。図示のとおり、この回転は、ラッチ本体５１０内に保持された第１のロック機構５１２および第２のロック機構５１４と一緒に、ラッチ本体５１０を軸７１４に沿って矢印１１０２の方向に移動させる。
【００９１】
次に図１２に目を向けると、例示の実施形態による図３からの構造部材３０２および固定具３１４の等角投影図が示されている。図示のとおり、固定具３１４が構造部材３０２に取り付けられている。構造部材３０２が、開口部１２００および開口部１２０２を有する。構造部材３０２が図２および図３の第２のパネル２０４に取り付けられる場合に図３からの固定具３０８および固定具３１０をそれぞれ受け入れるように、開口部１２００および開口部１２０２を構成することができる。
【００９２】
構造部材３０２に取り付けられた固定具３１４は、本体１２０４および頭部１２０６を有する。本体１２０４の部位１２０８の直径は、本体１２０４の部位１２１０の直径よりも小さい。固定具３１４を上述の図５から図１１の第１のロック機構５１２内の固定された位置にロックするために、この固定具３１４の本体１２０４における直径の相違を使用することができる。
【００９３】
次に図１３を参照すると、例示の実施形態による構造部材３０２に取り付けられたラッチ２０６の断面図が示されている。図１３には、構造部材３０２に取り付けられたラッチ２０６について、図４の線１３−１３に沿って得た断面図が示されている。
【００９４】
この例示の例においては、第１のロック機構５１２がロックされ、固定具３１４をラッチ本体５１０を貫くチャネル７０４との固定された位置にロックしている。特に、第１のロック機構５１２がロックされている場合、プレート８０６の開口部８１４が、チャネル７０４を通る固定具３１４の移動を実質的に防止するやり方で固定具３１４の本体１２０４の部位１２０８に対して位置する。
【００９５】
次に図１４を参照すると、例示の実施形態による構造部材３０２に取り付けられたラッチ２０６の断面図が示されている。図１４においては、図１３からの第１のロック機構５１２が、固定具３１４がチャネル７０４を通って自由に移動できるように、ロック解除されている。
【００９６】
図２から図１１および図１２から図１４におけるラッチ２０６ならびに図１２の構造部材３０２の例示は、例示の実施形態を実現することができるやり方に対する物理的または構造的な限定を意味するものではない。例示の構成要素に加え、あるいは例示の構成要素に代えて、他の構成要素を使用することが可能である。いくつかの構成要素は、随意であってよい。
【００９７】
さらに、図２から図１４における構成要素の一部は、図１にブロックの形態にて示された構成要素を物理的な構造として実現できるやり方の例示の例であってよい。図２から図１４に示した種々の構成要素を図１の構成要素と組み合わせることができ、図１の構成要素とともに使用することができ、あるいは２者の組み合わせとして使用することができる。
【００９８】
次に図１５を参照すると、例示の実施形態によるラッチをパネルに取り付けるためのプロセスについて、フロー図の形態の図が示されている。図１５に示されるプロセスを図１のラッチ１００ならびに／あるいは図２から図１１および図１２から図１４のラッチ２０６を使用して実施することができる。
【００９９】
プロセスは、固定具をプレートの開口部に通すことができるように、ラッチのばね機構に荷重を加え、ラッチのプレートを非ロック位置に移動させることによって始まる（工程１５００）。ばね機構およびプレートが、ラッチのラッチ本体に収容されたロック機構を形成する。プレートが、ラッチ本体を貫いて延伸する対応するチャネルに対して配置された開口部を有する。
【０１００】
例えば、これに限られるわけではないが、プレートの開口部に対応するラッチ本体のチャネルを通って固定具を挿入することによって、工程１５００を実行することができる。固定具をパネルに組み合わせることができる。プレートの開口部において固定具に力を加えることで、非ロック位置への移動のために、ラッチのばね機構およびラッチのプレートに荷重が加えられる。
【０１０１】
次いで、固定具の所定の部分がプレートの開口部を通過した後に、ばね機構に加えられた荷重が取り除かれることで、プレートがロック位置に移動し（工程１５０２）、その後にプロセスは終了する。工程１５０２において、ばね機構に外部からの荷重が加えられていない状態で、固定具は、プレートがロック位置にある場合に動かぬようにロックされる。
【０１０２】
種々の図示の実施形態におけるフロー図およびブロック図は、例示の実施形態における装置および方法のいくつかの考えられる実施例の構成、機能、および動作を説明している。この点に関し、フロー図またはブロック図の各ブロックは、工程または段階のモジュール、セグメント、機能、および／または部位を表すことができる。
【０１０３】
例示の実施形態のいくつかの選択肢となる実施例においては、ブロックにおいて言及された機能が、図に示されている順序ではない順序で行われてもよい。例えば、いくつかの場合に、連続して示されている２つの機能を実質的に同時に実行することができ、あるいはブロックが、場合によっては、該当の機能に応じて、逆順で実行されてもよい。また、示されているブロックに加えて、他のブロックをフロー図またはブロック図に追加することが可能である。
【０１０４】
例えば、いくつかの例示の例では、図１５において説明したパネルが、第１のパネルであってよく、ラッチを第１のパネルに取り付けるために使用されるロック機構が、第１のロック機構であってよい。さらに、ラッチ本体に収容された第２のロック機構を使用して、ラッチを第２のパネルに取り付けることができる。このやり方で、第１および第２のパネルをラッチによって接続することができる。
【０１０５】
ラッチ内の調節機構を２枚のパネルの間に形成されたすき間の幅を調節するために使用することができる。ラッチ本体を軸に沿った方向に移動させるために、調節機構を使用することができる。第１のロック機構におけるプレートの開口部および対応するチャネルは、ラッチ本体の移動可能性の軸に対して細長くてよい。
【０１０６】
したがって、この対応するチャネルに位置した固定具は、チャネルにおいて軸に沿った方向に移動可能であってよい。この移動は、ラッチ本体の移動と無関係であってよい。調節機構によるラッチ本体の移動は、対応するチャネルにおける固定具の位置に応じて、ラッチ本体の移動時に固定具または固定具が組み合わせられたパネルを移動させることができ、あるいは移動させなくてもよい。
【０１０７】
図１６に示されるとおりの航空機の製造および保守点検方法１６００ならびに図１７に示されるとおりの航空機１７００の文脈において、本開示の例示の実施形態を説明することができる。最初に図１６に目を向けると、例示の実施形態による航空機の製造および保守点検方法のブロック図の形態の図が示されている。製造の前段階において、航空機の製造および保守点検方法１６００は、図１７の航空機１７００の仕様および設計１６０２ならびに材料調達１６０４を含むことができる。
【０１０８】
製造において、図１７の航空機１７００の構成要素および部分組立品の製造１６０６ならびにシステム統合１６０８が行われる。その後に、認証および搬送１６１０を経て図１７の航空機１７００を就航１６１２させることができる。顧客による就航１６１２の最中に、図１７の航空機１７００について、定期的な整備および保守点検１６１４（改良、設定変更、改修、ならびに他の整備または保守点検を含んでもよい）が計画される。
【０１０９】
システムインテグレーター、第三者、および／または運用者によって航空機の製造および保守点検方法１６００の各プロセスを実行または実施することができる。これらの例において、運用者は、顧客であってよい。この説明の目的において、システムインテグレーターは、これらに限られるわけではないが、任意の数の航空機メーカーおよび主要なシステムの下請け業者を含むことができ、第三者は、これらに限られるわけではないが、任意の数の製造供給元、下請け業者、およびサプライヤーを含むことができ、運用者は、航空会社、リース企業、軍、サービス組織（service organization）などであってよい。
【０１１０】
次に図１７を参照すると、例示の実施形態を実施することができる航空機について、ブロック図の形態の図が示されている。この例においては、航空機１７００が、図１６の航空機の製造および保守点検方法１６００によって製造され、複数のシステム１７０４および内部１７０６を有する機体１７０２を備えることができる。システム１７０４の例として、推進システム１７０８、電気システム１７１０、油圧システム１７１２、および環境システム１７１４のうちの１つ以上が挙げられる。任意の数の他のシステムも含まれてよい。航空宇宙の例が示されているが、別の例示の実施形態は、自動車産業などの他の産業への適用が可能である。
【０１１１】
図１６の航空機の製造および保守点検方法１６００の各段階のうちの少なくとも１つにおいて本明細書において具現化される装置および方法を使用することができる。例えば、航空機１７００の内部のための側壁を設置するために、図１からのラッチ１００ならびに／あるいは図２から図１１、図１３、および図１４からのラッチ２０６と同様のやり方で実現されるラッチを使用することができる。構成要素および部分組立品の製造１６０６、システム統合１６０８、ならびに／あるいは整備および保守点検１６１４の際に、これらのラッチを使用することができる。さらに、これらのラッチを構成する種々の構成要素を材料調達１６０４ならびに構成要素および部分組立品の製造１６０６の少なくとも一方において製造し、さらには／あるいは組み立てることができる。  
【０１１２】
一例示の例では、図１６の構成要素および部分組立品の製造１６０６において製造される構成要素または部分組立品を航空機１７００が図１６の就航１６１２にある場合に製造される構成要素または部分組立品と同様のやり方で製作または製造することができる。また別の例として、１つ以上の装置の実施形態、方法の実施形態、またはそれらの組み合わせを図１６における構成要素および部分組立品の製造１６０６ならびにシステム統合１６０８などの製造の段階において利用することができる。１つ以上の装置の実施形態、方法の実施形態、またはそれらの組み合わせを航空機１７００が就航１６１２の状態にある場合に利用することができ、さらには／あるいは図１６の整備および保守点検１６１４の際に利用することができる。いくつかの異なる例示の実施形態に使用は、航空機１７００の組み立てを大幅に促進でき、さらには／あるいは航空機１７００のコストを大幅に削減できる。
【０１１３】
種々の例示の実施形態の説明は、例示および説明の目的のために提示されており、すべてを述べ尽くそうとするものでも、開示の種類の実施形態への限定を意図するものでもない。多数の変更および変種が、当業者にとって明らかであろう。さらに、種々の例示の実施形態は、他の例示の実施形態と比べて異なる利点をもたらすことができる。選択された実施形態は、実施形態の原理および実際の応用を最も上手く説明するとともに、当業者が種々の実施形態の開示を想定される個々の使途に適した種々の変更と併せて理解することができるように、選択および説明されている。
【符号の説明】
【０１１４】
１００、２０６、２０８  ラッチ
１０２、２０２  第１のパネル
１０４、２０４  第２のパネル
１０６、５００  ハウジング
１０８、５１０  ラッチ本体
１１０  ロック機構
１１２、５０２  保持部
１１４、５０４  カバー部
１１６、７００  保持構造
１１８、７０２  カバー
１２０、１２２、７０４、７０６  チャネル
１２１、３１２、３１４  固定具
１２３、３００、３０２  構造部材
１２６、５１２  第１のロック機構
１２７、５１４  第２のロック機構
１２８、８０６、８２２  プレート
１３０、１３４、８０８、８２４  ばね機構
１３２、８００、８０２、８１４、８３０  開口部
１３６、８１８  枢支機構
１４０、５１６  調節機構
１４２  すき間
２００  側壁
８２６、８２８  圧縮ばね
【図１】
0006279585.tif 000002
【図２】
0006279585.tif 000003
【図３】
0006279585.tif 000004
【図４】
0006279585.tif 000005
【図５】
0006279585.tif 000006
【図６】
0006279585.tif 000007
【図７】
0006279585.tif 000008
【図８】
0006279585.tif 000009
【図９】
0006279585.tif 000010
【図１０】
0006279585.tif 000011
【図１１】
0006279585.tif 000012
【図１２】
0006279585.tif 000013
【図１３】
0006279585.tif 000014
【図１４】
0006279585.tif 000015
【図１５】
0006279585.tif 000016
【図１６】
0006279585.tif 000017
【図１７】
0006279585.tif 000018